(57)【要約】【課題】帯電分布の異なる２種類以上が混合された現像剤で画像を形成する場合に、２種類以上が混合された現像剤の色味の調整を可能にすること。【解決手段】第１の現像剤（Ｔａ）と前記第１の現像剤（Ｔａ）とは帯電特性が異なる第２の現像剤（Ｔｂ）とが混合された現像剤で現像された画像を像保持体（ＰＲｃ）の表面から媒体に転写する転写手段（Ｔ１，Ｔ２）と、媒体（Ｓ）に転写された画像における第１の現像剤（Ｔａ）の濃度と、第２の現像剤（Ｔｂ）の濃度とに基づいて、各現像剤（Ｔａ，Ｔｂ）の濃度に応じて転写バイアスを制御する制御手段（Ｃ）と、を備えたことを転写装置（Ｔ１＋Ｔ２）。【選択図】図４
2020052314.tif 000002
【特許請求の範囲】
【請求項１】
第１の現像剤と前記第１の現像剤とは帯電特性が異なる第２の現像剤とが混合された現像剤で現像された画像を像保持手段の表面から媒体に転写する転写手段と、
前記媒体に転写された画像における第１の現像剤の濃度と、第２の現像剤の濃度とに基づいて、前記転写手段の転写バイアスを制御する制御手段と、
を備えたことを特徴とする転写装置。
【請求項２】
帯電量の高い現像剤の濃度が高い場合に、転写バイアスを下げるように制御する前記制御手段、
を備えたことを特徴とする請求項１に記載の転写装置。
【請求項３】
帯電量の低い現像剤の濃度が高い場合に、転写バイアスを上げるように制御する前記制御手段、
を備えたことを特徴とする請求項１または２に記載の転写装置。
【請求項４】
帯電量の高い現像剤の濃度が低い場合に、転写バイアスを上げるように制御する前記制御手段、
を備えたことを特徴とする請求項１ないし３のいずれかに記載の転写装置。
【請求項５】
帯電量の低い現像剤の濃度が低い場合に、転写バイアスを下げるように制御する前記制御手段、
を備えたことを特徴とする請求項１ないし４のいずれかに記載の転写装置。
【請求項６】
前記混合された現像剤の画像が形成される面の色に基づいて、転写バイアスを制御する制御手段、
を備えたことを特徴とする請求項１ないし５のいずれかに記載の転写装置。
【請求項７】
媒体の色が有色の場合に、前記第１の現像剤および第２の現像剤の中で明度が高い現像剤の転写率が高くなるように、前記転写バイアスを制御する制御手段、
を備えたことを特徴とする請求項６に記載の転写装置。
【請求項８】
画像の下地に白色の下地層が形成される場合に、前記第１の現像剤および第２の現像剤の中で明度が低い現像剤の転写率が高くなるように、前記転写バイアスを制御する制御手段、
を備えたことを特徴とする請求項６または７に記載の転写装置。
【請求項９】
像保持手段と、
前記像保持手段の像を媒体に転写する請求項１ないし８のいずれかに記載の転写装置と、
前記媒体に転写された像を定着する定着手段と、
を備えたことを特徴とする画像形成装置。
【請求項１０】
潜像が現像された画像を表面に保持する第１の像保持手段と、前記第１の像保持手段から画像が表面に転写されると共に転写された画像が媒体に転写される第２の像保持手段と、を有する前記像保持手段と、
前記第１の像保持手段の画像を前記第２の像保持手段に転写する第１の転写手段と、前記第２の像保持手段の画像を前記媒体に転写する第２の転写手段と、を有する前記転写手段と、
帯電特性として第１の現像剤とは電荷注入性の異なる第２の現像剤を使用するとともに、２次転写電圧を調整して色味調整を行う場合に、前記第１の転写手段による第１の転写バイアスを上げる制御を行う前記制御手段、
を備えたことを特徴とする請求項９に記載の画像形成装置。
【請求項１１】
潜像が現像された画像を表面に保持する第１の像保持手段と、前記第１の像保持手段から画像が表面に転写されると共に転写された画像が媒体に転写される第２の像保持手段と、を有する前記像保持手段と、
前記第１の像保持手段の画像を前記第２の像保持手段に転写する第１の転写手段と、前記第２の像保持手段の画像を前記媒体に転写する第２の転写手段と、を有する前記転写手段と、
前記第２の像保持手段の回転方向に対して前記第１の像保持手段からの転写部よりも下流側且つ媒体への転写部よりも上流側に配置された第３の像保持手段と、を有する前記像保持手段と、
前記第３の像保持手段の画像を前記第２の像保持手段に転写する第３の転写手段を有する前記転写手段と、
帯電特性として第１の現像剤とは電荷注入性の異なる第２の現像剤を使用するとともに、２次転写電圧調整して色味調整を行う場合に、前記第３の転写手段による第３の転写バイアスを上げる制御を行う前記制御手段と、
を備えたことを特徴とする請求項９に記載の画像形成装置。
【発明の詳細な説明】
【技術分野】
【０００１】
本発明は、転写装置および画像形成装置に関する。
【背景技術】
【０００２】
複写機、プリンタ、ＦＡＸ等の画像形成装置において、像保持手段から媒体に像を転写する転写手段において、転写手段を清掃する技術に関し、以下の特許文献１，２に記載の技術が知られている。
【０００３】
特許文献１としての特開平１１−２１２３２７号公報には、Ｙ：イエロー，Ｍ：マゼンタ，Ｃ：シアンのそれぞれのトナーが２種類以上の帯電、濃度特性有するトナー（Ｔａ，Ｔｂ）を混合して構成することで、感光体ドラム（９）の電荷が低いハイライト部分の潜像が、帯電量が低く光透過率が高い淡い色のトナー（Ｔａ）のみで現像されて、階調性の高い画像を形成する技術が記載されている。
【０００４】
特許文献２としての特開２０１７−１９８７７１号公報には、複数の色のトナーに対して、各色のトナー帯電量の変化量から、２次転写効率の変化を予測して、２次転写効率のロスを抑制するように、２次転写電流値を変更する技術が記載されている。
【先行技術文献】
【特許文献】
【０００５】
【特許文献１】特開平１１−２１２３２７号公報（「００３３」−「００３８」）
【特許文献２】特開２０１７−１９８７７１号公報（「００６４」−「００９７」）
【発明の概要】
【発明が解決しようとする課題】
【０００６】
本発明は、帯電分布の異なる２種類以上が混合された現像剤で画像を形成する場合に、２種類以上が混合された現像剤の色味の調整を可能にすることを技術的課題とする。
【課題を解決するための手段】
【０００７】
前記技術的課題を解決するために、請求項１に記載の発明の転写装置は、
第１の現像剤と前記第１の現像剤とは帯電特性が異なる第２の現像剤とが混合された現像剤で現像された画像を像保持手段の表面から媒体に転写する転写手段と、
前記媒体に転写された画像における第１の現像剤の濃度と、第２の現像剤の濃度とに基づいて、前記転写手段の転写バイアスを制御する制御手段と、
を備えたことを特徴とする。
【０００８】
請求項２に記載の発明は、請求項１に記載の転写装置において、
帯電量の高い現像剤の濃度が高い場合に、転写バイアスを下げるように制御する前記制御手段、
を備えたことを特徴とする。
【０００９】
請求項３に記載の発明は、請求項１または２に記載の転写装置において、
帯電量の低い現像剤の濃度が高い場合に、転写バイアスを上げるように制御する前記制御手段、
を備えたことを特徴とする。
【００１０】
請求項４に記載の発明は、請求項１ないし３のいずれかに記載の転写装置において、
帯電量の高い現像剤の濃度が低い場合に、転写バイアスを上げるように制御する前記制御手段、
を備えたことを特徴とする。
【００１１】
請求項５に記載の発明は、請求項１ないし４のいずれかに記載の転写装置において、
帯電量の低い現像剤の濃度が低い場合に、転写バイアスを下げるように制御する前記制御手段、
を備えたことを特徴とする。
【００１２】
請求項６に記載の発明は、請求項１ないし５のいずれかに記載の転写装置において、
前記混合された現像剤の画像が形成される面の色に基づいて、転写バイアスを制御する制御手段、
を備えたことを特徴とする。
【００１３】
請求項７に記載の発明は、請求項６に記載の転写装置において、
媒体の色が有色の場合に、前記第１の現像剤および第２の現像剤の中で明度が高い現像剤の転写率が高くなるように、前記転写バイアスを制御する制御手段、
を備えたことを特徴とする。
【００１４】
請求項８に記載の発明は、請求項６または７に記載の転写装置において、
画像の下地に白色の下地層が形成される場合に、前記第１の現像剤および第２の現像剤の中で明度が低い現像剤の転写率が高くなるように、前記転写バイアスを制御する制御手段、
を備えたことを特徴とする。
【００１５】
前記技術的課題を解決するために、請求項９に記載の発明の画像形成装置は、
像保持手段と、
前記像保持手段の像を媒体に転写する請求項１ないし８のいずれかに記載の転写装置と、
前記媒体に転写された像を定着する定着手段と、
を備えたことを特徴とする。
【００１６】
請求項１０に記載の発明は、請求項９に記載の画像形成装置において、
潜像が現像された画像を表面に保持する第１の像保持手段と、前記第１の像保持手段から画像が表面に転写されると共に転写された画像が媒体に転写される第２の像保持手段と、を有する前記像保持手段と、
前記第１の像保持手段の画像を前記第２の像保持手段に転写する第１の転写手段と、前記第２の像保持手段の画像を前記媒体に転写する第２の転写手段と、を有する前記転写手段と、
帯電特性として第１の現像剤とは電荷注入性の異なる第２の現像剤を使用するとともに、２次転写電圧を調整して色味調整を行う場合に、前記第１の転写手段による第１の転写バイアスを上げる制御を行う前記制御手段、
を備えたことを特徴とする。
【００１７】
請求項１１に記載の発明は、請求項９に記載の画像形成装置において、
潜像が現像された画像を表面に保持する第１の像保持手段と、前記第１の像保持手段から画像が表面に転写されると共に転写された画像が媒体に転写される第２の像保持手段と、を有する前記像保持手段と、
前記第１の像保持手段の画像を前記第２の像保持手段に転写する第１の転写手段と、前記第２の像保持手段の画像を前記媒体に転写する第２の転写手段と、を有する前記転写手段と、
前記第２の像保持手段の回転方向に対して前記第１の像保持手段からの転写部よりも下流側且つ媒体への転写部よりも上流側に配置された第３の像保持手段と、を有する前記像保持手段と、
前記第３の像保持手段の画像を前記第２の像保持手段に転写する第３の転写手段を有する前記転写手段と、
帯電特性として第１の現像剤とは電荷注入性の異なる第２の現像剤を使用するとともに、２次転写電圧調整して色味調整を行う場合に、前記第３の転写手段による第３の転写バイアスを上げる制御を行う前記制御手段と、
を備えたことを特徴とする。
【発明の効果】
【００１８】
請求項１，９に記載の発明によれば、帯電分布の異なる２種類以上が混合された現像剤で画像を形成する場合に、２種類以上が混合された現像剤の色味の調整を可能にすることができる。
請求項２に記載の発明によれば、帯電量の高い現像剤の濃度が高い場合でも、目的の色味の画像を形成することができる。
請求項３に記載の発明によれば、帯電量の低い現像剤の濃度が高い場合でも、目的の色味の画像を形成することができる。
請求項４に記載の発明によれば、帯電量の高い現像剤の濃度が低い場合でも、目的の色味の画像を形成することができる。
請求項５に記載の発明によれば、帯電量の低い現像剤の濃度が低い場合でも、目的の色味の画像を形成することができる。
【００１９】
請求項６に記載の発明によれば、画像が形成される面の色に応じて、目的の色味の画像を形成できる。
請求項７に記載の発明によれば、媒体の色が有色の場合でも、目的の色味の画像を形成できる。
請求項８に記載の発明によれば、下地が白色の場合に、目的の色味の画像を形成できる。
請求項１０に記載の発明によれば、第１の転写バイアスでの電荷注入で２つの現像剤の帯電特性を調整することができる。
請求項１１に記載の発明によれば、第３の転写バイアスでの電荷注入で２つの現像剤の帯電特性を調整することができる。
【図面の簡単な説明】
【００２０】
【図１】図１は実施例１の画像形成装置の全体説明図である。
【図２】図２は実施例１の画像の記録部の要部説明図である。
【図３】図３は実施例１の画像形成装置の制御部が備えている各機能をブロック図で示した図である。
【図４】図４は実施例１のコーポレートカラーを構成する現像剤の帯電分布の説明図である。
【図５】図５は実施例１の転写バイアス補正処理のフローチャートの説明図である。
【図６】図６は実施例２の制御部の説明であり、実施例１の図３に対応する図である。
【図７】図７は実施例２の転写バイアス補正処理のフローチャートの説明図である。
【図８】図８は実施例２の現像剤の帯電量の説明図であり、実施例１の図４に対応する図である。
【図９】図９は実施例３の制御部の説明であり、実施例１の図３に対応する図である。
【図１０】図１０は実施例３の転写バイアス補正処理のフローチャートの説明図である。
【図１１】図１１は実施例４の制御部の説明であり、実施例１の図３に対応する図である。
【図１２】図１２は実施例４の転写バイアス補正処理のフローチャートの説明図である。
【図１３】図１３は実施例５の制御部の説明であり、実施例１の図３に対応する図である。
【図１４】図１４は実施例５の転写バイアス補正処理のフローチャートの説明図である。
【発明を実施するための形態】
【００２１】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２２】
図１は実施例１の画像形成装置の全体説明図である。
図１において、本発明の実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像読取装置の一例としてのスキャナ部Ｕ２が支持されている。スキャナ部Ｕ２の上部には、原稿の搬送装置の一例としてのオートフィーダＵ３が支持されている。
【００２３】
オートフィーダＵ３の上部には、媒体の収容手段の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００２４】
スキャナ部Ｕ２の上面には、透明な原稿台の一例としてのプラテンガラスＰＧが配置されている。実施例１のスキャナ部Ｕ２には、プラテンガラスＰＧの下方に、読取部の一例としての読取ユニットＵ２ａが配置されている。実施例１の読取ユニットＵ２ａは、プラテンガラスＰＧの下面に沿って、副走査方向の一例としての左右方向に移動可能に支持されている。読取ユニットＵ２ａは、通常時は、図１の実線で示す初期位置に停止している。なお、読取ユニットＵ２ａは、画像処理部ＧＳに電気的に接続されている。
また、実施例１のオートフィーダＵ３では、原稿の搬送路Ｕ３ａには、原稿の搬送方向に対して、読取ユニットＵ２ａが対向する位置よりも下流側に、第２の読み取り部の一例としての読取りセンサＵ３ｄが配置されている。読取りセンサＵ３ｄは、読取ユニットＵ２ａとは原稿Ｇｉの反対側の面を読み取り可能に構成されている。
【００２５】
図２は実施例１の画像の記録部の要部説明図である。
画像処理部ＧＳは、プリンタ部Ｕ１の書込回路ＤＬに電気的に接続されている。書込回路ＤＬは、潜像の形成手段の一例としての露光装置ＲＯＳに電気的に接続されている。
実施例１の露光装置ＲＯＳは、書込光の一例としてのｗ：白色（特色の一例），ｓ：銀色（特色の一例），ｃ：コーポレートカラー（特色の一例），Ｋ：黒色の各色に対応したレーザービームＬｗ，Ｌｓ，Ｌｃ，Ｌｋを出力可能に構成されている。露光装置ＲＯＳは、書込回路ＤＬから入力された信号に応じたレーザービームＬｗ〜Ｌｋを出力可能に構成されている。
図１において、露光装置ＲＯＳの上方には、像保持手段の一例としての感光体ＰＲｗ，ＰＲｓ，ＰＲｃ，ＰＲｋが配置されている。図１、図２において、各感光体ＰＲｗ〜ＰＲｋにレーザービームＬｗ〜Ｌｋが照射される領域により、書込領域Ｑ１ｗ，Ｑ１ｓ，Ｑ１ｃ，Ｑ１ｋが構成されている。
【００２６】
各感光体ＰＲｗ，ＰＲｓ，ＰＲｃ，ＰＲｋの回転方向に対して、書込領域Ｑ１ｗ〜Ｑ１ｋの上流側には、帯電手段の一例としての帯電ロールＣＲｗ，ＣＲｓ，ＣＲｃ，ＣＲｋが配置されている。実施例１の帯電ロールＣＲｗ〜ＣＲｋは、感光体ＰＲｗ〜ＰＲｋに接触して従動回転可能に支持されている。
感光体ＰＲｗ〜ＰＲｋの回転方向に対して、書込領域Ｑ１ｗ〜Ｑ１ｋの下流側には、現像手段の一例としての現像装置Ｇｗ，Ｇｓ，Ｇｃ，Ｇｋが配置されている。各感光体ＰＲｗ〜ＰＲｋと各現像装置Ｇｗ〜Ｇｋとが対向する領域により、現像領域Ｑ２ｗ，Ｑ２ｓ，Ｑ２ｃ，Ｑ２ｋが構成されている。
【００２７】
感光体ＰＲｗ〜ＰＲｋの回転方向に対して、現像装置Ｇｗ〜Ｇｋの下流側には、１次転写手段の一例としての１次転写ロールＴ１ｗ，Ｔ１ｓ，Ｔ１ｃ，Ｔ１ｋが配置されている。各感光体ＰＲｗ〜ＰＲｋと各１次転写ロールＴ１ｗ〜Ｔ１ｋとが対向する領域により、１次転写領域Ｑ３ｗ，Ｑ３ｓ，Ｑ３ｃ，Ｑ３ｋが構成されている。
感光体ＰＲｗ〜ＰＲｋの回転方向に対して、１次転写ロールＴ１ｗ〜Ｔ１ｋの下流側には、清掃手段の一例としての感光体クリーナＣＬｗ，ＣＬｓ，ＣＬｃ，ＣＬｋが配置されている。
【００２８】
前記Ｗ色の感光体ＰＲｗ、帯電ロールＣＲｗ、Ｙ色のレーザービームＬｗを出力する露光装置ＲＯＳ、現像装置Ｇｗ、１次転写ロールＴ１ｗ、感光体クリーナＣＬｗにより、トナー像を形成する実施例１のｗ色の可視像の形成手段の一例としてのｗ色の作像部Ｕｗが構成されている。同様に、各感光体ＰＲｓ，ＰＲｃ，ＰＲｋ、帯電ロールＣＲｓ，ＣＲｃ，ＣＲｋ、露光装置ＲＯＳ、現像装置Ｇｓ，Ｇｃ，Ｇｋ、１次転写ロールＴ１ｓ，Ｔ１ｃ，Ｔ１ｋ、感光体クリーナＣＬｓ，ＣＬｃ，ＣＬｋにより、前記Ｓ（銀），Ｃ（コーポレートカラー），Ｋ色の作像部Ｕｓ，Ｕｃ，Ｕｋが構成されている。
【００２９】
前記感光体ＰＲｗ〜ＰＲｋの上方には、中間転写装置の一例としてのベルトモジュールＢＭが配置されている。ベルトモジュールＢＭは、像保持手段の一例であって、中間転写手段の一例としての中間転写ベルトＢを有する。中間転写ベルトＢは、無端帯状の部材により構成されている。
実施例１の中間転写ベルトＢは、張架手段の一例としてのテンションロールＲｔと、片寄りの補正手段の一例としてのウォーキングロールＲｗと、従動手段の一例としてのアイドラロールＲｆと、２次転写領域の対向手段の一例としてのバックアップロールＴ２ａと、１次転写ロールＴ１ｗ，Ｔ１ｓ，Ｔ１ｃ，Ｔ１ｋと、により回転可能に支持されている。なお、実施例１では、駆動手段の一例としてのバックアップロールＴ２ａに駆動が伝達された場合に、中間転写ベルトＢが回転する。
【００３０】
前記中間転写ベルトＢを挟んでバックアップロールＴ２ａに対向する位置には、２次転写手段の一例としての２次転写ロールＴ２ｂが配置されている。バックアップロールＴ２ａおよび２次転写ロールＴ２ｂ等により、転写装置の一例としての実施例１の２次転写器Ｔ２が構成されている。また、２次転写ロールＴ２ｂと中間転写ベルトＢとが接触する領域により、媒体への転写部の一例としての２次転写領域Ｑ４が構成されている。
中間転写ベルトＢの回転方向に対して、２次転写領域Ｑ４の下流側には、中間転写体の清掃手段の一例として、ベルトクリーナＣＬｂが配置されている。
前記１次転写ロールＴ１ｗ〜Ｔ１ｋおよび２次転写器Ｔ２等により、転写手段の一例としての実施例１の転写装置Ｔ１＋Ｔ２が構成されている。また、作像部Ｕｗ〜Ｕｋおよび転写装置Ｔ１＋Ｔ２や中間転写ベルトＢとにより、実施例１の画像の記録部Ｕｗ〜Ｕｋ＋Ｔ１＋Ｔ２＋Ｂが構成されている。
【００３１】
図１において、作像部Ｕｗ〜Ｕｋの下方には、案内手段の一例としての左右一対のガイドレールＧＲが３段設けられている。各ガイドレールＧＲには、媒体の収容手段の一例としての給紙トレイＴＲ１〜ＴＲ３が前後方向に出入可能に支持されている。給紙トレイＴＲ１〜ＴＲ３には、媒体の一例としての記録シートＳが収容される。
給紙トレイＴＲ１〜ＴＲ３の左上方には、取出手段の一例としてのピックアップロールＲｐが配置されている。記録シートＳの搬送方向に対して、ピックアップロールＲｐの下流側には、捌き手段の一例としての捌きロールＲｓが配置されている。記録シートＳの搬送方向に対して、捌きロールＲｓの下流側には、媒体の搬送路の一例として、上方に延びる給紙路ＳＨ１が形成されている。給紙路ＳＨ１には、搬送手段の一例としての複数の搬送ロールＲａが配置されている。
【００３２】
給紙路ＳＨ１には、２次転写領域Ｑ４の上流側に、搬送時期の調節手段の一例としてのレジロールＲｒが配置されている。
記録シートＳの搬送方向に対して、２次転写領域Ｑ４の下流側には、定着手段の一例としての定着装置Ｆが配置されている。定着装置Ｆは、加熱用の定着部材の一例としての加熱ロールＦｈと、加圧用の定着部材の一例としての加圧ロールＦｐと、を有する。加熱ロールＦｈと加圧ロールＦｐとの接触領域により定着領域Ｑ５が構成されている。
定着装置Ｆの上方には、搬送路の一例としての排紙路ＳＨ２が配置されている。プリンタ部Ｕ１の上面には、媒体の排出部の一例としての排紙トレイＴＲｈが形成されている。排紙路ＳＨ２は、排紙トレイＴＲｈに向けて延びる。排紙路ＳＨ２の下流端には、媒体の搬送手段の一例としての排紙ロールＲｈが配置されている。
【００３３】
（画像形成動作の説明）
前記構成を備えた実施例１の複写機Ｕでは、原稿Ｇｉを作業者が手でプラテンガラスＰＧ上に置いて複写を行う場合には、読取ユニットＵ２ａが初期位置から左右方向に移動して、プラテンガラスＰＧ上の原稿Ｇｉが、露光されながら走査される。また、前記オートフィーダＵ３を使用して自動的に原稿Ｇｉを搬送して複写を行う場合には、読取ユニットＵ２ａは、初期位置から、図１の破線で示す原稿の読み取り位置に移動して停止する。そして、原稿トレイＴＧ１に収容された複数の原稿Ｇｉは、プラテンガラスＰＧ上の原稿の読み取り位置に順次搬送されて通過し、原稿の排紙トレイＴＧ２に排出される。したがって、プラテンガラスＰＧ上の読み取り位置を順次通過する各原稿Ｇｉは、停止した読取ユニットＵ２ａに露光されて走査される。なお、原稿Ｇｉからの反射光は、読取ユニットＵ２ａで受光される。前記読取ユニットＵ２ａは、受光された原稿Ｇｉの反射光を電気信号に変換する。なお、原稿Ｇｉの両面読取りが行われる場合には、読取りセンサＵ３ｄでも原稿Ｇｉが読み取られる。
【００３４】
画像処理部ＧＳは、読取ユニットＵ２ａから出力された電気信号が入力される。画像処理部ＧＳは、読取ユニットＵ２ａが読み取ったＲ，Ｇ，Ｂの色の画像の電気信号や図示しないぱーそこなるコンピュータ等の情報処理装置から受信した印刷情報を、潜像形成用のｗ、ｓ、ｃ、Ｋの画像情報に変換する。画像処理部ＧＳは、変換後の画像情報をプリンタ部Ｕ１の書込回路ＤＬに出力する。なお、画像処理部ＧＳは、画像が単色画像、いわゆる、モノクロの場合は、黒Ｋのみの画像情報を書込回路ＤＬに出力する。
書込回路ＤＬは、入力された画像情報に応じた制御信号を、露光装置ＲＯＳに出力する。露光装置ＲＯＳは、制御信号に応じたレーザービームＬｗ〜Ｌｋを出力する。
【００３５】
各感光体ＰＲｗ〜ＰＲｋは、画像形成が開始されると回転駆動する。帯電ロールＣＲｗ〜ＣＲｋには、電源回路Ｅから帯電電圧が印加される。したがって、感光体ＰＲｗ〜ＰＲｋの表面は、帯電ロールＣＲｗ〜ＣＲｋにより帯電される。帯電された感光体ＰＲｗ〜ＰＲｋは、書込領域Ｑ１ｗ〜Ｑ１ｋにおいて、レーザービームＬｗ〜Ｌｋにより、表面に静電潜像が形成される。感光体ＰＲｗ〜ＰＲｋの静電潜像は、現像領域Ｑ２ｗ〜Ｑ２ｋにおいて、現像装置Ｇｗ，Ｇｍ，Ｇｃ，Ｇｋにより可視像の一例としてのトナー像に現像される。
【００３６】
現像されたトナー像は、中間転写体の一例としての中間転写ベルトＢに接触する１次転写領域Ｑ３ｗ，Ｑ３ｓ，Ｑ３ｃ，Ｑ３ｋに搬送される。１次転写領域（第１の像保持手段からの転写部）Ｑ３ｗ，Ｑ３ｓ，Ｑ３ｃ，Ｑ３ｋにおいて、１次転写ロールＴ１ｗ〜Ｔ１ｋには、電源回路Ｅからトナーの帯電極性と逆極性の１次転写電圧が印加される。したがって、各感光体ＰＲｗ〜ＰＲｋ上のトナー像は、１次転写ロールＴ１ｗ〜Ｔ１ｋにより、中間転写ベルトＢに転写される。なお、多色のトナー像の場合、上流側の１次転写領域で中間転写ベルトＢに転写されたトナー像に重ねて、下流側のトナー像が転写される。
１次転写後の感光体ＰＲｗ〜ＰＲｋの残留物、付着物は、感光体クリーナＣＬｗ〜ＣＬｋにより清掃される。清掃された感光体ＰＲｗ〜ＰＲｋ表面は、帯電ロールＣＲｗ〜ＣＲｋにより再帯電される。
１次転写領域Ｑ３ｗ〜Ｑ３ｋで１次転写ロールＴ１ｗ〜Ｔ１ｋにより中間転写ベルトＢ上に転写された単色または多色のトナー像は、２次転写領域Ｑ４に搬送される。
【００３７】
画像が記録される記録シートＳは、使用される給紙トレイＴＲ１〜ＴＲ３のピックアップロールＲｐにより、取り出される。ピックアップロールＲｐで取り出された記録シートＳは、複数枚の記録シートＳが重ねて取り出された場合、捌きロールＲｓにより１枚ずつに分離される。捌きロールＲｓで分離された記録シートＳは、搬送ロールＲａにより給紙路ＳＨ１を搬送される。給紙路ＳＨ１を搬送された記録シートＳは、レジロールＲｒに送られる。
レジロールＲｒは、中間転写ベルトＢに形成されたトナー像が２次転写領域Ｑ４に搬送される時期を合わせて、記録シートＳを２次転写領域Ｑ４に搬送する。２次転写ロールＴ２ｂには、電源回路Ｅによりトナーの帯電極性と逆極性の２次転写電圧が印加される。したがって、中間転写ベルトＢ上のトナー像は、中間転写ベルトＢから記録シートＳに転写される。
【００３８】
２次転写後の前記中間転写ベルトＢは、表面に付着した付着物等がベルトクリーナＣＬｂにより清掃される。
前記トナー像が２次転写された記録シートＳは、定着領域Ｑ５を通過する際に加熱定着される。
画像が定着された記録シートＳは、排紙路ＳＨ２を搬送される。排紙路ＳＨ２を搬送された記録シートＳは、排紙ロールＲｈにより排紙トレイＴＲｈに排出される。
【００３９】
（実施例１の制御部の説明）
図３は実施例１の画像形成装置の制御部が備えている各機能をブロック図で示した図である。
図３において、複写機Ｕの制御手段の一例としての制御部（コントローラ）Ｃは、外部との信号の入出力等を行う入出力インターフェースＩ／Ｏを有する。また、制御部Ｃは、必要な処理を行うためのプログラムおよび情報等が記憶されたＲＯＭ：リードオンリーメモリを有する。また、制御部Ｃは、必要なデータを一時的に記憶するためのＲＡＭ：ランダムアクセスメモリを有する。また、制御部Ｃは、ＲＯＭ等に記憶されたプログラムに応じた処理を行うＣＰＵ：中央演算処理装置を有する。したがって、実施例１の制御部Ｃは、小型の情報処理装置、いわゆるマイクロコンピュータにより構成されている。よって、制御部Ｃは、ＲＯＭ等に記憶されたプログラムを実行することにより種々の機能を実現することができる。
【００４０】
（制御部Ｃに接続された信号出力要素）
制御部Ｃは、操作部ＵＩやスキャナ部Ｕ２等の信号出力要素からの出力信号が入力されている。
操作部ＵＩは、入力部材の一例として、コピースタートキーやテンキー、矢印等の入力を行う入力ボタンＵＩａを有する。
スキャナ部Ｕ２は、原稿の画像を読み取る。
【００４１】
（制御部Ｃに接続された被制御要素）
制御部Ｃは、主駆動源の駆動回路Ｄ１や、電源回路Ｅ、その他の図示しない制御要素に接続されている。制御部Ｃは、各回路Ｄ１，Ｅ等へ、それらの制御信号を出力している。
Ｄ１：主駆動源の駆動回路
主駆動源の駆動回路Ｄ１は、主駆動源の一例としてのメインモータＭ１を介して、感光体ＰＲｗ〜ＰＲｋや中間転写ベルトＢ等を回転駆動する。
【００４２】
Ｅ：電源回路
電源回路Ｅは、現像用の電源回路Ｅａ、帯電用の電源回路Ｅｂ、転写用の電源回路Ｅｃ、定着用の電源回路Ｅｄ等を有している。
Ｅａ：現像用の電源回路
現像用の電源回路Ｅａは、現像装置Ｇｗ〜Ｇｋの現像ロールに現像電圧を印加する。
Ｅｂ：帯電用の電源回路
帯電用の電源回路Ｅｂは、帯電ロールＣＲｗ〜ＣＲｋそれぞれに感光体ＰＲｗ〜ＰＲｋ表面を帯電させるための帯電電圧を印加する。
【００４３】
Ｅｃ：転写用の電源回路
転写用の電源回路Ｅｃは、１次転写ロールＴ１ｗ〜Ｔ１ｋや２次転写ロールＴ２ｂに転写電圧を印加する。
Ｅｄ：定着用の電源回路
定着用の電源回路Ｅｄは、定着装置Ｆの加熱ロールＦｈのヒータに電力を供給する。
【００４４】
（制御部Ｃの機能）
制御部Ｃは、前記信号出力要素からの入力信号に応じた処理を実行して、前記各制御要素に制御信号を出力する機能を有している。すなわち、制御部Ｃは次の機能を有している。
Ｃ１：画像形成の制御手段
画像形成の制御手段Ｃ１は、操作部ＵＩへの入力や外部のパーソナルコンピュータ等からの画像情報の入力に応じて、スキャナ部Ｕ２やプリンタ部Ｕ１の各部材の駆動や各電圧の印加時期等を制御して、画像形成動作であるジョブを実行する。
【００４５】
Ｃ２：駆動源の制御手段
駆動源の制御手段Ｃ２は、主駆動源の駆動回路Ｄ１を介して、メインモータＭ１の駆動を制御し、感光体ＰＲｗ〜ＰＲｋ等の駆動を制御する。
Ｃ３：電源回路の制御手段
電源回路の制御手段Ｃ３は、各電源回路Ｅａ〜Ｅｄを制御して、各部材へ印加される電圧や、各部材へ供給される電力を制御する。
【００４６】
Ｃ４：パッチ画像の形成手段
濃度調整用画像の形成手段の一例としてのパッチ画像の形成手段Ｃ４は、濃度調整用の画像の一例としてのパッチ画像を記録シートＳに形成する。実施例１では、パッチ画像として、予め定められた濃度のコーポレートカラー：Ｃ色の画像を含む各色の画像を形成する。
【００４７】
図４は実施例１のコーポレートカラーを構成する現像剤の帯電分布の説明図である。
図４において、実施例１では、コーポレートカラーを構成する現像剤の一例として、２種類の現像剤Ｔａ，Ｔｂが混合されたものを使用している。すなわち、複写機Ｕを使用する企業の社章やロゴ等を印刷する場合に、予めロゴ等で使用される色がコーポレートカラーとして調合されて現像剤として使用される。すなわち、実施例１では、２種類の色の異なる現像剤Ｔａ，Ｔｂを、予め定められた比率で混合することで、特定の色のコーポレートカラーを調合する。そして、実施例１では、２種類の現像剤Ｔａ，Ｔｂとして、帯電特性の異なる現像剤Ｔａ，Ｔｂが混合されている。すなわち、図４に示すように、各現像剤Ｔａ，Ｔｂでは、帯電量の分布において、もっとも多く分布する帯電量が異なる。実施例１では、帯電量の高い高帯電現像剤Ｔａと、帯電量の低い低帯電現像剤Ｔｂとが混合された現像剤が使用される。
【００４８】
Ｃ５：濃度取得手段
濃度取得手段Ｃ５は、パッチ画像が形成された記録シートＳをスキャナ部Ｕ２で読み取った場合に取得されるパッチ画像の濃度を取得する。
Ｃ６：濃度判別手段
濃度判別手段Ｃ６は、スキャナ部Ｕ２で読み取った実際の濃度と、パッチ画像として形成したはずの予め設定された濃度との差異に基づいて、実際の濃度が、設定濃度に対して高いか低いか、すなわち、濃いか薄いかを判別する。実施例１の濃度判別手段Ｃ６は、コーポレートカラーのパッチ濃度について、読み取った色合いから、高帯電現像剤Ｔａの濃度の濃淡と、低濃度現像剤Ｔｂの濃度の濃淡とを判別する。
【００４９】
Ｃ７：転写バイアスの制御手段
転写バイアスの制御手段Ｃ７は、１次転写領域Ｑ３ｗ〜Ｑ３ｋに印加される１次転写バイアスや、２次転写領域Ｑ４に印加される２次転写バイアスを制御する。実施例１の転写バイアスの制御手段Ｃ７は、高帯電現像剤のＴａの濃度が薄い場合に２次転写バイアスを上昇させる。また、実施例１の転写バイアスの制御手段Ｃ７は、低帯電現像剤のＴｂの濃度が薄い場合に２次転写バイアスを低下させる。
【００５０】
図４において、実施例１では、２次転写電圧は、帯電特性の異なる２つの現像剤Ｔａ，Ｔｂが予め定められたコーポレートカラーの比率で転写されるように、転写バイアスの一例としての２次転写電圧Ｖ１が設定されている。温度や湿度、中間転写ベルトＢ等の各部材の摩耗、劣化等で、所定の２次転写電圧を印加しても、高帯電現像剤Ｔａの濃度が薄くなることがある。この状態は、図４において、帯電分布に対して、２次転写電圧が、グラフ上で右側の電圧Ｖ１ａの位置にシフトしている状態に相当する。したがって、この場合、２次転写電圧を上昇させて（電圧Ｖ１に近づけて）、所定の濃度になるように２次転写バイアスを補正、制御する。
同様に、低帯電現像剤Ｔｂの濃度が薄い場合は、図４において、２次転写電圧が、グラフ上で左側の電圧Ｖ１ｂの位置にシフトしている状態に相当する。したがって、この場合、２次転写電圧を下降させて（電圧Ｖ１に近づけて）、所定の濃度になるように２次転写バイアスを補正、制御する。
【００５１】
（実施例１の流れ図の説明）
次に、実施例１の複写機Ｕにおける制御の流れを流れ図、いわゆるフローチャートを使用して説明する。
（転写バイアス補正処理のフローチャートの説明）
図５は実施例１の転写バイアス補正処理のフローチャートの説明図である。
図５のフローチャートの各ステップＳＴの処理は、前記複写機Ｕの制御部Ｃに記憶されたプログラムに従って行われる。また、この処理は複写機Ｕの他の各種処理と並行して実行される。したがって、ジョブ開始に伴って各記録シートＳに画像が形成される処理は、図５のフローチャートとは並行して実行される。
図５に示すフローチャートは複写機Ｕの電源投入により開始される。
【００５２】
図５のＳＴ１において、操作部ＵＩへの入力で、転写バイアスの補正処理が開始されたか否かを判別する。イエス（Ｙ）の場合はＳＴ２に進み、ノー（Ｎ）の場合はＳＴ１を繰り返す。
ＳＴ２において、コーポレートカラー（ブレンドトナー）の画像を含むパッチ画像を記録シートＳに形成して出力する処理を行う。そして、ＳＴ３に進む。
ＳＴ３において、パッチ画像が形成された記録シートＳをスキャナ部Ｕ２で読み取って、コーポレートカラーのパッチ画像の濃度を取得する処理を行う。そして、ＳＴ４に進む。
【００５３】
ＳＴ４において、高帯電トナーＴａの濃度が薄いか否かを判別する。イエス（Ｙ）の場合はＳＴ５に進み、ノー（Ｎ）の場合はＳＴ６に進む。
ＳＴ５において、２次転写バイアスを上昇させる。そして、ＳＴ１に戻る。
ＳＴ６において、低帯電トナーＴｂの濃度が薄いか否かを判別する。イエス（Ｙ）の場合はＳＴ７に進み、ノー（Ｎ）の場合はＳＴ１に戻る（２次転写バイアスを変更しない）。
ＳＴ７において、２次転写バイアスを下降させる。そして、ＳＴ１に戻る。
【００５４】
（実施例１の作用）
前記構成を備えた実施例１の複写機Ｕでは、コーポレートカラーのパッチ濃度の読取結果に基づいて、実際の濃度の濃淡に応じて、２次転写バイアスを制御する。コーポレートカラーの現像剤として、粒子状のトナーの中に複数の顔料を分散させた１種類の現像剤で構成すれば、色味のずれは発生しにくい。しかしながら、特殊な色（コーポレートカラー）の１種類の現像剤を調合すると、その顧客専用の現像剤となり、汎用性が低く、高価になる。したがって、既存の現像剤を所定の比率で混合して（ブレンドして）、コーポレートカラーを実現したほうが、費用面で有利になる。
【００５５】
このように、複数の現像剤を混合した場合、温度、湿度等の環境や、部材の劣化や状態変化等の使用条件、記録シートＳの種類等により、現像剤が選択的に現像、転写されることがあり、色味の変化が生じる問題がある。
特許文献１に記載の従来の技術では、印刷する画像の低濃度部分について、この色味の変化を利用する技術に近く、環境等に応じて色味が変化しないようにすることは困難である。また、特許文献２に記載の従来技術では、各色の現像剤（１種類の現像剤）の帯電量の変化に応じて転写電圧を変化させているが、中間転写ベルト上で積層された多色画像における色味の変化には対応できるが、最初から混合された現像剤における色味の変化に対応する技術ではない。
これらに対して、実施例１では、コーポレートカラーのようなブレンドトナーを使用する画像において、色味が目的の色味とは異なる場合、すなわち、高帯電トナーＴａと低帯電トナーＴｂのいずれかの濃度が薄い（または濃い）場合、目的の色味になるように２次転写電圧を補正する。したがって、複数の現像剤が混合された特殊色の画像について、色味の変化に対応可能である。
【００５６】
特に、実施例１では、帯電特性の異なる２種類の現像剤Ｔａ，Ｔｂが使用されている。帯電特性がほぼ同じ複数の現像剤が混合された場合、一方の現像剤の濃度が薄くなっても、帯電特性がほとんど変わらないので２次転写電圧の補正で対応しようとしても、補正量が小さくなる。例えば、２次転写電圧が１［ｋＶ］オーダで印加される場合に、補正量が、１［Ｖ］オーダや０．１「Ｖ」オーダになると、補正が難しくなる。これに対して、実施例１では、図４に示すように、帯電量分布において、ピークの位置がずれており、２次転写電圧Ｖ１の補正も実用上実現可能である。
【実施例２】
【００５７】
図６は実施例２の制御部の説明であり、実施例１の図３に対応する図である。
次に本発明の実施例２の説明をするが、この実施例２の説明において、前記実施例１の構成要素に対応する構成要素には同一の符号を付して、その詳細な説明は省略する。
この実施例２は下記の点で、前記実施例１と相違しているが、他の点では前記実施例１と同様に構成される。
図６において、実施例２の複写機Ｕでは、実施例１の転写バイアスの制御手段Ｃ７に替えて、転写バイアスの制御手段Ｃ１１を有する。
実施例２の転写バイアスの制御手段Ｃ１１は、低帯電トナーＴｂの濃度が薄い場合に、２次転写バイアスを下降させると共に、転写バイアスの一例としてのＣ色の１次転写電流を上昇させる。
【００５８】
（実施例２の流れ図の説明）
図７は実施例２の転写バイアス補正処理のフローチャートの説明図である。
次に、実施例２の複写機Ｕにおける制御の流れをフローチャートを使用して説明するが、実施例１と同様の処理については、同一のＳＴ番号を付し説明を省略する。
図７のＳＴ７′において、次の処理（１）、（２）を実行して、ＳＴ１に戻る。
（１）２次転写バイアスを下降させる。
（２）Ｃ色の１次転写電流を上昇させる。
【００５９】
（実施例２の作用）
前記構成を備えた実施例２の複写機Ｕでは、低帯電トナーＴｂの濃度が低い場合、２次転写電圧を下げる事に加えて、Ｃ色の１次転写電流も上昇させる。複数の現像剤が混合されたブレンドトナーでは、１次転写の際に転写電界によって、現像剤に＋の電荷が注入され、帯電量が低下することが知られている。例えば、トナー中の顔料の量が多くなると、誘電特性があがりやすく（通電しやすく）なり、電荷注入されやすくなる。また、例えば、トナーの粒径や顔料の粒径が小さいほど、表面積、接触面積が大きくなり、誘電特性が上がり電荷注入されやすくなる。さらに、例えば、カーボンブラック等の導電性顔料が多いほど誘電特性が上がり電荷注入されやすくなる。したがって、低帯電トナーＴｂの方が、高帯電トナーＴａに比べて、電荷注入の効果が大きい傾向にある。
【００６０】
図８は実施例２の現像剤の帯電量の説明図であり、実施例１の図４に対応する図である。
図８において、現像装置Ｇｃ内での現像剤Ｔａ，Ｔｂの帯電量の分布が実線で示す状態の場合、１次転写時に電荷注入がされると、破線で示すように、帯電量がゼロに近づく側（グラフ上で右側）に変化する。この時、電荷注入がされやすい（電荷注入性の良い）低帯電トナーの方が、変化量（右側へのシフト量）が大きい。したがって、２つの現像剤Ｔａ，Ｔｂの帯電特性の違い（ピークの位置のずれ）がより大きくなる。
実施例２では、これを利用して、低帯電トナーの濃度が低い場合、２次転写バイアスを下降させることに加え、１次転写電流を上昇させて、シフト量を大きくする。したがって、２種類の現像剤Ｔａ，Ｔｂの帯電特性が近くても、１次転写電流で帯電特性の違いを大きくして、２次転写電圧の補正で、目的の色味の画像を形成することが可能である。
【００６１】
なお、実施例２では、低帯電トナーＴｂが薄い場合にのみ１次転写電流を上昇させたが、高帯電トナーＴａが薄い場合に２次転写バイアスを上昇させることに加え、１次転写電流を上昇させる構成とすることも可能である。
【実施例３】
【００６２】
図９は実施例３の制御部の説明であり、実施例１の図３に対応する図である。
次に本発明の実施例３の説明をするが、この実施例３の説明において、前記実施例１，２の構成要素に対応する構成要素には同一の符号を付して、その詳細な説明は省略する。
この実施例３は下記の点で、前記実施例１，２と相違しているが、他の点では前記実施例１，２と同様に構成される。
図９において、実施例３の複写機Ｕでは、実施例１の転写バイアスの制御手段Ｃ７に替えて、転写バイアスの制御手段Ｃ１２を有する。
実施例３の転写バイアスの制御手段Ｃ１２は、低帯電トナーＴｂの濃度が薄い場合に、２次転写バイアスを下降させる。また、第３の像保持体の一例としての最下流のｗ色の感光体ＰＲｗに対向する第３の転写手段の一例としての１次転写ロールＴ１ｗにおいて、Ｗ色の１次転写電流を上昇させる。
【００６３】
（実施例３の流れ図の説明）
図１０は実施例３の転写バイアス補正処理のフローチャートの説明図である。
次に、実施例３の複写機Ｕにおける制御の流れをフローチャートを使用して説明するが、実施例１と同様の処理については、同一のＳＴ番号を付し説明を省略する。
図１０のＳＴ７″において、次の処理（１）、（３）を実行して、ＳＴ１に戻る。
（１）２次転写バイアスを下降させる。
（３）Ｗ色の１次転写電流を上昇させる。
【００６４】
（実施例３の作用）
前記構成を備えた実施例３の複写機Ｕでは、低帯電トナーＴｂの濃度が低い場合、実施例２と異なり、Ｗ色の１次転写電流も上昇させる。したがって、実施例３では、１次転写が行われるＣ色の１次転写領域Ｑ１ｃではなく、下流側のＷ色の１次転写領域Ｑ１ｗで電荷注入が行われる。よって、実施例３でも、実施例２と同様に、目的の色味の画像を形成することが可能である。
なお、Ｗ色の１次転写電流を変化させると、Ｗ色の画像の転写不良が発生する恐れがある。したがって、Ｗ色の画像形成が行われる際には、コーポレートカラーのトナーの電荷注入のための１次転写電流の制御を行うことを避けることが望ましい。したがって、Ｃ色（コーポレートカラー）よりも下流側のＳ色、Ｗ色のいずれか可能な方で１次転写電流の制御を行うことも可能である。
【実施例４】
【００６５】
図１１は実施例４の制御部の説明であり、実施例１の図３に対応する図である。
次に本発明の実施例４の説明をするが、この実施例４の説明において、前記実施例１−３の構成要素に対応する構成要素には同一の符号を付して、その詳細な説明は省略する。
この実施例４は下記の点で、前記実施例１−３と相違しているが、他の点では前記実施例１−３と同様に構成される。
図１１において、実施例４の複写機Ｕでは、実施例１の転写バイアスの制御手段Ｃ７に替えて、転写バイアスの制御手段Ｃ１３を有する。
実施例４の転写バイアスの制御手段Ｃ１３は、高帯電トナーＴａの濃度が濃い場合に、２次転写バイアスを下降させる。また、低帯電トナーＴｂの濃度が濃い場合に、２次転写バイアスを上昇させる。
【００６６】
（実施例４の流れ図の説明）
図１２は実施例４の転写バイアス補正処理のフローチャートの説明図である。
次に、実施例４の複写機Ｕにおける制御の流れをフローチャートを使用して説明するが、実施例１と同様の処理については、同一のＳＴ番号を付し説明を省略する。
図１２において、実施例１のＳＴ４〜ＳＴ７に替えて、ＳＴ１１〜ＳＴ１４を実行する。
ＳＴ１１において、高帯電トナーＴａの濃度が濃いか否かを判別する。イエス（Ｙ）の場合はＳＴ１２に進み、ノー（Ｎ）の場合はＳＴ１３に進む。
ＳＴ１２において、２次転写バイアスを下降させる。そして、ＳＴ１に戻る。
ＳＴ１３において、低帯電トナーＴｂの濃度が濃いか否かを判別する。イエス（Ｙ）の場合はＳＴ１４に進み、ノー（Ｎ）の場合はＳＴ１に戻る（２次転写バイアスを変更しない）。
ＳＴ１４において、２次転写バイアスを上昇させる。そして、ＳＴ１に戻る。
【００６７】
（実施例４の作用）
前記構成を備えた実施例４の複写機Ｕでは、高帯電トナーＴａの濃度が濃い、すなわち、低帯電トナーＴｂの濃度が相対的に薄い場合は、目的の色味になるように、２次転写バイアスを下降させる。一方、低帯電トナーＴｂの濃度が濃い、すなわち、高帯電トナーＴａの濃度が相対的に薄い場合は、目的の色味になるように、２次転写バイアスを上昇させる。したがって、実施例４の複写機Ｕでも、実施例１と同様に、目的の色味のＣ色の画像を形成可能である。
【実施例５】
【００６８】
図１３は実施例５の制御部の説明であり、実施例１の図３に対応する図である。
次に本発明の実施例５の説明をするが、この実施例５の説明において、前記実施例１−４の構成要素に対応する構成要素には同一の符号を付して、その詳細な説明は省略する。
この実施例５は下記の点で、前記実施例１−４と相違しているが、他の点では前記実施例１−４と同様に構成される。
図１３において、実施例５の複写機Ｕでは、実施例１の転写バイアスの制御手段Ｃ７に替えて、転写バイアスの制御手段Ｃ１４を有する。
実施例５の転写バイアスの制御手段Ｃ１４は、実施例１の転写バイアスの制御手段Ｃ７の各機能に加えて、使用する記録シートＳの種類が白紙の場合や、コーポレートカラーの画像の下地層として白色の画像が形成される場合には、転写バイアスの補正を行わない。そして、使用する記録シートＳの種類が色紙で、下地層として白色が使用されない場合には、媒体の種類に応じて、２次転写バイアスを調整（上昇または下降）する。例えば、予め明度の高い方のトナーの帯電分布が高いという事がわかっている場合に、黒紙では明度が高いトナーを増やしたい場合は、帯電分布が高いトナー増やすために、２次転写バイアスを上げ、逆に、トナーの帯電分布が低い場合は、２次転写バイアスを下げる。
【００６９】
（実施例５の流れ図の説明）
図１４は実施例５の転写バイアス補正処理のフローチャートの説明図である。
次に、実施例５の複写機Ｕにおける制御の流れをフローチャートを使用して説明するが、実施例１と同様の処理については、同一のＳＴ番号を付し説明を省略する。
図１４において、実施例１のＳＴ５、ＳＴ７の処理が終了した場合や、ＳＴ６でノー（Ｎ）の場合は、ＳＴ２１に進む。
ＳＴ２１において、使用する記録シートＳは白紙の媒体であるか否かを判別する。イエス（Ｙ）の場合はＳＴ１に戻る。ノー（Ｎ）の場合はＳＴ２２に進む。
ＳＴ２２において、白の下地画像が形成されるか否かを判別する。イエス（Ｙ）の場合はＳＴ１に戻り、ノー（Ｎ）の場合はＳＴ２３に進む。
ＳＴ２３において、２次転写バイアスを媒体の種類に応じて、目的の色味になるように調整する。そして、ＳＴ１に戻る。
【００７０】
（実施例５の作用）
前記構成を備えた実施例５の複写機Ｕでは、コーポレートカラーが印刷される際に、白色の紙や白色の下地画像が形成される場合、すなわち、コーポレートカラーの画像が形成される面の色が白色の場合には、コーポレートカラーが目的の色味で印刷可能である。一方で、色紙や黒い紙、ＯＨＰ等の透明な媒体の場合、すなわち、コーポレートカラーの画像が形成される面の色が白色ではない場合、コーポレートカラーの画像を形成しても、紙の色により、目的の色味がでない場合がある。実施例５では、このような場合に、増やしたいトナーの転写効率を高める、あるいは減らしたいトナーの転写効率を低めるように調整される。したがって、目的の色味に近いコーポレートカラーの画像が形成可能である。
【００７１】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ05）を下記に例示する。
（Ｈ01）前記実施例において、画像形成装置の一例としての複写機Ｕを例示したが、これに限定されず、ＦＡＸに適用したり、ＦＡＸや、プリンタ、複写機などの複数の機能を備えた複合機等に適用可能である。また、多色現像の画像形成装置に限定されず、単色、いわゆるモノクロの画像形成装置により構成することも可能である。さらに、像保持体の一例としての中間転写ベルトを有する構成に限定されず、感光体から直接記録シートに画像が転写される構成にも適用可能である。また、３つ以上の中間転写手段を有する構成に適用可能である。
【００７２】
（Ｈ02）前記実施例１〜５を互いに組み合わせることも可能である。
（Ｈ03）前記実施例において、例示した色やその組み合わせ、並び順等は、設計や仕様等に応じて、任意に変更可能である。
（Ｈ04）前記実施例１，４，５において、２次転写バイアスを制御する構成を例示したがこれに限定されない。１次転写バイアスの制御を行ったり、両方のバイアスの制御を行うようにすることも可能である。
【００７３】
（Ｈ05）前記実施例において、パッチ画像をスキャナ部Ｕ２で読み取る構成を例示したがこれに限定されない。例えば、画像形成装置Ｕの内部に画像を読み取る部材、いわゆるインラインセンサが設けられている場合には、インラインセンサを使用することも可能である。また、、スキャナで読み取らず、印刷された紙を作業者が目視で色味を判別する、いわゆる官能評価で色味のずれ（各トナーＴａ，Ｔｂの濃度）を判別して、操作部ＵＩから入力する構成とすることも可能である。
【符号の説明】
【００７４】
Ｂ…第２の像保持手段、
Ｃ…制御手段、
Ｆ…定着手段、
ＰＲｃ…第１の像保持手段、
ＰＲｃ，Ｂ…像保持手段、
ＰＲｗ…第３の像保持手段、
Ｑ３ｃ…第１の像保持手段からの転写部、
Ｑ４…媒体への転写部、
Ｓ…媒体、
Ｔ１，Ｔ２転写手段、
Ｔ１ｃ…第１の転写手段、
Ｔ１ｗ…第３の転写手段、
Ｔ１＋Ｔ２…転写装置、
Ｔ２…第２の転写手段、
Ｔａ…第１の現像剤、
Ｔｂ…第２の現像剤、
Ｕ…画像形成装置。
【図１】
2020052314.tif 000003
【図２】
2020052314.tif 000004
【図３】
2020052314.tif 000005
【図４】
2020052314.tif 000006
【図５】
2020052314.tif 000007
【図６】
2020052314.tif 000008
【図７】
2020052314.tif 000009
【図８】
2020052314.tif 000010
【図９】
2020052314.tif 000011
【図１０】
2020052314.tif 000012
【図１１】
2020052314.tif 000013
【図１２】
2020052314.tif 000014
【図１３】
2020052314.tif 000015
【図１４】
2020052314.tif 000016